【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
記録媒体に画像を形成するための電子写真画像形成装置の装置本体に着脱可能なプロセスカートリッジであって、
回転可能な電子写真感光体と、
前記電子写真感光体と当接して前記電子写真感光体を帯電するための帯電ローラと、
前記電子写真感光体と前記帯電ローラとを離間させるための離間部材であって、前記電子写真感光体と前記帯電ローラとを離間させる離間位置と、前記電子写真感光体と前記帯電ローラとを当接させる当接位置と、の間を移動可能な離間部材と、
前記電子写真感光体が回転することにより生ずる駆動力を受ける回転可能な駆動力受け部材と、
前記離間部材を前記離間位置から前記当接位置へ移動させるために、前記駆動力受け部材と係合して前記駆動力を前記駆動力受け部材から前記離間部材に伝達する回転可能な駆動力伝達部材と、
を有し、
前記駆動力受け部材と前記駆動力伝達部材の係合部に、離間部材を当接位置から離間位置に移動させた際に、前記駆動力受け部が回転しないように一定角度だけ互いに自由に回転できるように遊びが設けられていることを特徴とするプロセスカートリッジ。
【請求項２】
前記電子写真感光体が画像を形成する際に回転する方向と同方向に前記電子写真感光体を回転させた後に、前記駆動力伝達部材が画像を形成する際に回転する方向と同方向に前記駆動力伝達部材を回転させて、その後に前記離間部材を前記当接位置から前記離間位置へ移動させたことを特徴とする請求項１に記載のプロセスカートリッジ。
【請求項３】
前記駆動力受け部材は第1突起部を有しており、前記駆動力伝達部材は第２突起部を有しており、前記第1突起部と前記第２突起部が接触することにより、前記駆動力受け部材から前記駆動力伝達部材に駆動力が伝達されることを特徴とする請求項１又は２に記載のプロセスカートリッジ。
【請求項４】
前記離間部材は、前記帯電ローラの両端の軸部に回動可能に設けられていることを特徴とする請求項１乃至３のいずれか１項に記載のプロセスカートリッジ。
【請求項５】
前記離間部材が前記当接位置に位置する際は、前記離間部材と前記駆動力伝達部材が係合しないように構成されていることを特徴とする請求項１乃至４のいずれか１項に記載のプロセスカートリッジ。
【請求項６】
前記一定角度は、前記離間部材を前記当接位置から前記離間位置へ移動させる際の前記駆動力伝達部材の回転角度よりも大きいことを特徴とする前記請求項１乃至５のいずれか１項に記載のプロセスカートリッジ。
【請求項７】
前記離間部材には、前記プロセスカートリッジの外部から操作可能な操作部が設けられており、前記操作部を前記外部から付勢することにより、前記離間部材を前記当接位置から前記離間位置へ移動させることを特徴とする請求項１乃至６のいずれか１項に記載のプロセスカートリッジ。
【請求項８】
記録媒体に画像を形成するための電子写真画像形成装置の装置本体に着脱可能なプロセスカートリッジであって、
回転可能な電子写真感光体と、
前記電子写真感光体と当接して前記電子写真感光体を帯電するための帯電ローラと、
前記電子写真感光体と前記帯電ローラとを離間させるための離間部材であって、前記電子写真感光体と前記帯電ローラとを離間させる離間位置と、前記電子写真感光体と前記帯電ローラとを当接させる当接位置と、の間を移動可能な離間部材と、
前記離間部材を前記離間位置から前記当接位置へ移動させるために、画像を形成する際に回転する方向と同方向に前記電子写真感光体が回転することにより生ずる駆動力を受ける回転可能な駆動力受け部材と、
前記離間部材を前記離間位置から前記当接位置へ移動させるために、前記駆動力受け部材と係合して、前記駆動力を前記駆動力受け部材から前記離間部材に伝達する回転可能な駆動力伝達部材と、
を有し、
前記駆動力受け部材と前記駆動力伝達部材とが係合している係合部に、離間部材を当接位置から離間位置に移動させた際に、前記駆動力受け部が回転しないように前記駆動力受け部材と前記駆動力伝達部材とが互いに一定角度だけ自由に回転できるように遊びが設けられており、前記電子写真感光体が画像を形成する際に回転する方向と同方向に前記電子写真感光体を回転させた後に、前記駆動力伝達部材が画像を形成する際に回転する方向と同方向に前記駆動力伝達部材を回転させて、その後に前記離間部材を前記当接位置から前記離間位置へ移動させたことを特徴とするプロセスカートリッジ。
【請求項９】
請求項１乃至８のいずれか１項に記載のプロセスカートリッジと、
前記装置本体と、
を有する電子写真画像形成装置。
【請求項１０】
記録媒体に画像を形成するための電子写真画像形成装置の装置本体に着脱可能なプロセスカートリッジであって、回転可能な電子写真感光体と、前記電子写真感光体を帯電するための帯電ローラと、前記電子写真感光体と前記帯電ローラとを離間させる離間位置と、前記電子写真感光体と前記帯電ローラとを当接させる当接位置と、の間を移動可能な離間部材と、画像を形成する際に回転する方向と同方向に前記電子写真感光体が回転することにより生ずる駆動力を受ける回転可能な駆動力受け部材と、前記駆動力受け部材と係合して、前記駆動力を前記駆動力受け部材から前記離間部材に伝達する回転可能な駆動力伝達部材と、を有し、前記駆動力受け部材と前記駆動力伝達部材とが係合する係合部に、離間部材を当接位置から離間位置に移動させた際に、前記駆動力受け部が回転しないように前記駆動力受け部材と前記駆動力伝達部材とが互いに一定角度だけ自由に回転できるように遊びが設けられているプロセスカートリッジの生産方法において、
前記電子写真感光体が画像を形成する際に回転する方向と同方向に前記電子写真感光体を回転させる感光体回転工程と、
前記感光体回転工程の後に、前記駆動力伝達部材が画像を形成する際に回転する方向と同方向に前記駆動力伝達部材を回転させる伝達部材回転工程と、
前記伝達部材回転工程の後に、前記離間部材を前記当接位置から前記離間位置へ移動させる第３工程と、
を有することを特徴とするプロセスカートリッジの生産方法。
【請求項１１】
記録媒体に画像を形成するための電子写真画像形成装置の装置本体に着脱可能なプロセスカートリッジであって、回転可能な電子写真感光体と、前記電子写真感光体を帯電するための帯電ローラと、前記電子写真感光体と前記帯電ローラとを離間させる離間位置と、前記電子写真感光体と前記帯電ローラとを当接させる当接位置と、の間を移動可能な離間部材と、画像を形成する際に回転する方向と同方向に前記電子写真感光体が回転することにより生ずる駆動力を受ける回転可能な駆動力受け部材と、前記駆動力受け部材と係合して、前記駆動力を前記駆動力受け部材から前記離間部材に伝達する回転可能な駆動力伝達部材と、を有し、前記駆動力受け部材と前記駆動力伝達部材とが係合する係合部に、離間部材を当接位置から離間位置に移動させた際に、前記駆動力受け部が回転しないように前記駆動力受け部材と前記駆動力伝達部材とが互いに一定角度だけ自由に回転できるように遊びが設けられているプロセスカートリッジの再生産方法において、
前記電子写真感光体を取り外した後に、前記電子写真感光体とは異なる他の電子写真感光体を取り付ける感光体交換工程と、
前記感光体交換工程の後に、前記他の電子写真感光体が画像を形成する際に回転する方向と同方向に前記他の電子写真感光体を回転させる感光体回転工程と、
前記感光体回転工程の後に、前記駆動力伝達部材が画像を形成する際に回転する方向と同方向に前記駆動力伝達部材を回転させる伝達部材回転工程と、
前記伝達部材回転工程の後に、前記離間部材を前記当接位置から前記離間位置へ移動させる離間部材移動工程と、
を有することを特徴とするプロセスカートリッジの再生産方法。
【手続補正２】
【補正対象書類名】明細書
【補正対象項目名】０００９
【補正方法】変更
【補正の内容】
【０００９】
上記課題を解決するための本発明における代表的な手段は、記録媒体に画像を形成するための電子写真画像形成装置の装置本体に着脱可能なプロセスカートリッジであって、回転可能な電子写真感光体と、前記電子写真感光体と当接して前記電子写真感光体を帯電するための帯電ローラと、前記電子写真感光体と前記帯電ローラとを離間させるための離間部材であって、前記電子写真感光体と前記帯電ローラとを離間させる離間位置と、前記電子写真感光体と前記帯電ローラとを当接させる当接位置と、の間を移動可能な離間部材と、前記電子写真感光体が回転することにより生ずる駆動力を受ける回転可能な駆動力受け部材と、前記離間部材を前記離間位置から前記当接位置へ移動させるために、前記駆動力受け部材と係合して前記駆動力を前記駆動力受け部材から前記離間部材に伝達する回転可能な駆動力伝達部材と、を有し、前記駆動力受け部材と前記駆動力伝達部材の係合部に、離間部材を当接位置から離間位置に移動させた際に、前記駆動力受け部が回転しないように一定角度だけ互いに自由に回転できるように遊びが設けられていることを特徴とする。